(57)【要約】【課題】録画再生装置において、録画されたＴＶ番組の再生終了直後に、ＴＶ番組の録画終了間際を再度再生する際の手間を軽減する。【解決手段】ハードディスクレコーダは、録画タイトル毎のリピート再生方法を示すリピートステータスを有し、ＴＶ番組の再生を行う際に、リピートステータスの内容を判断し（Ｓ１）、エンドポーズ再生がオンの場合（Ｓ２でＹＥＳ）、エンドポーズ再生処理（Ｓ３）を行う。一方、エンドポーズ再生がオフの場合（Ｓ２でＮＯ）、エンドリピート再生がオンであれば（Ｓ４でＹＥＳ）、エンドリピート再生処理（Ｓ８）を行う。エンドポーズ再生処理は、ＴＶ番組をエンド位置まで再生したとき、このエンド位置で再生を一時停止（ポーズ）する再生である。エンドリピート再生処理は、ＴＶ番組をエンド位置まで再生した後に、エンド位置から設定された間隔時間分だけ前の録画位置とエンド位置との間の区間を再生するものである。【選択図】図７
2012004751.tif 000002
【特許請求の範囲】
【請求項１】
テレビジョン（以下、ＴＶという）番組を録画可能なハードディスクと、
前記ハードディスクに録画されたＴＶ番組の再生処理を制御する再生制御手段とを備え
る録画再生装置であって、
前記ハードディスクに録画されたＴＶ番組を再生する際に、最終録画位置で一時停止す
るか否かを設定する一時停止設定手段をさらに備え、
前記再生制御手段は、前記一時停止設定手段によって最終録画位置で一時停止するよう
に設定されているＴＶ番組を再生するときに、該ＴＶ番組を最終録画位置まで再生をした
後に、該ＴＶ番組の最終録画位置で一時停止することを特徴とする録画再生装置。
【請求項２】
繰り返し再生を行う間隔を指示するための間隔時間を記憶する間隔時間記憶手段と、
前記ハードディスクに録画されているＴＶ番組を再生する際に、最終録画位置と、この
最終録画位置から前記間隔時間分だけ前の録画位置との間の最終録画区間において、繰り
返し再生するか否かを設定する繰り返し再生設定手段とをさらに備え、
前記再生制御手段は、前記繰り返し再生設定手段によって前記繰り返し再生を行うよう
に設定されているＴＶ番組を再生するときに、該ＴＶ番組を最終録画位置まで再生した後
に、該ＴＶ番組の前記最終録画区間を再度再生することを特徴とする請求項１に記載の録
画再生装置。
【請求項３】
前記ハードディスクに録画されているＴＶ番組の最終録画位置の頭出しを指示するため
の最終録画位置頭出し指示操作手段をさらに備え、
前記再生制御手段は、ユーザによって前記最終録画位置頭出し指示操作手段の指示操作
が行われると、この指示操作の対象とされた、前記ハードディスクに録画されているＴＶ
番組に対して、最終録画位置の頭出しを行うことを特徴とする請求項１又は２に記載の録
画再生装置。
【請求項４】
前記ハードディスクに録画されたＴＶ番組について、最終録画位置と、この最終録画位
置から前記間隔時間分だけ前の録画位置との間の最終録画区間を再生するように指示する
ための最終録画区間再生指示操作手段をさらに備え、
前記再生制御手段は、ユーザによって前記最終録画区間再生指示操作手段の指示操作が
行われると、この指示操作の対象とされた、前記ハードディスクに録画されているＴＶ番
組の前記最終録画区間を再生することを特徴とする請求項１乃至３のいずれか一項に記載
の録画再生装置。
【発明の詳細な説明】
【技術分野】
【０００１】
本発明は、ＴＶ番組を録画可能であると共に、録画したＴＶ番組を再生可能な録画再生
装置に関する。
【背景技術】
【０００２】
近年、ＥＰＧ（Ｅｌｅｃｔｒｉｃ  Ｐｒｏｇｒａｍ  Ｇｕｉｄｅ）等の電子番組表から
録画したいＴＶ番組を選択するだけで、そのＴＶ番組を録画可能なハードディスクレコー
ダが普及している。この種のハードディスクレコーダでは、電子番組表を用いて選択され
たＴＶ番組を録画する際に、ＴＶ番組の放送終了後、このＴＶ番組の録画処理をすぐに終
了するものが多い。
【０００３】
ところで、例えばドラマ等のシリーズ作品のＴＶ番組では、ＴＶ番組の放送終了間際に
次回予告シーンを放送するものが多い。従って、ユーザによって、ＴＶ番組の放送終了間
際を繰り返し視聴したいという要望がある。
【０００４】
しかしながら、上記ハードディスクレコーダでは、電子番組表を用いて選択されたＴＶ
番組を録画した後、録画したＴＶ番組を再生する場合、このＴＶ番組の最終録画位置の再
生が終わると再生処理をすぐに終了し、自動的にメニュー画面に移行する。従って、ＴＶ
番組の録画終了間際（すなわち、ＴＶ番組の放送終了間際）を再度視聴したい場合、ユー
ザは、録画されたＴＶ番組を最初から録画終了間際まで再度再生するか、ＴＶ番組の録画
終了間際までチャプターサーチや、早送りや、タイムサーチ等の操作を行う必要があり、
ユーザにとって使い勝手が悪いという問題がある。
【０００５】
また、ユーザが、電子番組表を用いることなしに、録画したいＴＶ番組の録画終了時間
を、このＴＶ番組の放送終了時間よりも長く設定することによって上記問題を解決する方
法がある。しかしながら、この方法ではユーザにとって操作の手間が掛かり、さらに、Ｔ
Ｖ番組の放送終了時間よりも長い時間の録画を行うため、ＴＶ番組の録画に必要な容量が
大きくなり、ハードディスクを効率良く使用することができないため、使い勝手が悪い。
【０００６】
これに対して、特許文献１には、番組の録画と同時に映像カットの変わり目の集合から
なる代表画像の一覧を作成する代表画像作成部と、代表画像の１つを選択することによっ
て番組の録画や再生の開始、終了を予約する番組予約インタフェースとを備える録画再生
装置が開示されている。しかしながら、この録画再生装置では、ＴＶ番組の録画終了間際
を容易に再生するものではないため、上記問題を解決できない。
【０００７】
また、特許文献２には、受信した放送番組のメタデータを識別して次回放映予告シーン
を録画し、ユーザがある番組のＥＰＧを見た際に、機器内の記憶領域に前回放送された次
回放映予告シーンが録画データとして録画されている場合、それを再生することができる
コンテンツ視聴支援装置が開示されている。しかしながら、このコンテンツ視聴支援装置
では、録画されたＴＶ番組の再生終了直後にＴＶ番組の録画終了間際を容易に再生するこ
とを可能にするものではないため、上記問題を解決できない。
【０００８】
また、特許文献３には、指定した映像シーンから最後の映像シーンまでをｎ等分するこ
とにより、目的のシーンを絞り込むことができ、シーン検索時間の大幅な短縮を図ること
ができる録画シーン検索方法が開示されている。しかしながら、この方法では、ＴＶ番組
の録画終了間際を容易に再生するものではないため、上記問題を解決できない。また、特
許文献４には、記録媒体の空き容量が予約録画するタイトルの容量よりも大きいと判定し
た場合、予約録画終了後に自動的にダビング動作を行う情報記録再生装置が開示されてい
る。しかしながら、この情報記録再生装置は、ＴＶ番組の録画終了間際を容易に再生する
ものではないため、上記問題を解決できない。
【先行技術文献】
【特許文献】
【０００９】
【特許文献１】特開２０００−１５５９９８号公報
【特許文献２】特開２００５−１５９７７０号公報
【特許文献３】特開２００２−２６２２４０号公報
【特許文献４】特開２００７−１２１４８号公報
【発明の概要】
【発明が解決しようとする課題】
【００１０】
本発明は、上述した問題点を解決するためになされたものであり、録画されたＴＶ番組
の再生終了直後に、録画されたＴＶ番組の録画終了間際を再度再生する際の手間を軽減で
き、ユーザによる使い勝手を良くすることが可能な録画再生装置を提供することを目的と
する。
【課題を解決するための手段】
【００１１】
上記目的を達成するために請求項１の発明は、テレビジョン（以下、ＴＶという）番組
を録画可能なハードディスクと、前記ハードディスクに録画されたＴＶ番組の再生処理を
制御する再生制御手段とを備える録画再生装置であって、前記ハードディスクに録画され
たＴＶ番組を再生する際に、最終録画位置で一時停止するか否かを設定する一時停止設定
手段をさらに備え、前記再生制御手段は、前記一時停止設定手段によって最終録画位置で
一時停止するように設定されているＴＶ番組を再生するときに、該ＴＶ番組を最終録画位
置まで再生をした後に、該ＴＶ番組の最終録画位置で一時停止するものである。
【００１２】
また、請求項２の発明は、請求項１に記載の録画再生装置において、繰り返し再生を行
う間隔を指示するための間隔時間を記憶する間隔時間記憶手段と、前記ハードディスクに
録画されているＴＶ番組を再生する際に、最終録画位置と、この最終録画位置から前記間
隔時間分だけ前の録画位置との間の最終録画区間において、繰り返し再生するか否かを設
定する繰り返し再生設定手段とをさらに備え、前記再生制御手段は、前記繰り返し再生設
定手段によって前記繰り返し再生を行うように設定されているＴＶ番組を再生するときに
、該ＴＶ番組を最終録画位置まで再生した後に、該ＴＶ番組の前記最終録画区間を再度再
生するものである。
【００１３】
また、請求項３の発明は、請求項１又は２に記載の録画再生装置において、前記ハード
ディスクに録画されているＴＶ番組の最終録画位置の頭出しを指示するための最終録画位
置頭出し指示操作手段をさらに備え、前記再生制御手段は、ユーザによって前記最終録画
位置頭出し指示操作手段の指示操作が行われると、この指示操作の対象とされた、前記ハ
ードディスクに録画されているＴＶ番組に対して、最終録画位置の頭出しを行うものであ
る。
【００１４】
また、請求項４の発明は、請求項１乃至３のいずれか一項に記載の録画再生装置におい
て、前記ハードディスクに録画されたＴＶ番組について、最終録画位置と、この最終録画
位置から前記間隔時間分だけ前の録画位置との間の最終録画区間を再生するように指示す
るための最終録画区間再生指示操作手段をさらに備え、前記再生制御手段は、ユーザによ
って前記最終録画区間再生指示操作手段の指示操作が行われると、この指示操作の対象と
された、前記ハードディスクに録画されているＴＶ番組の前記最終録画区間を再生するも
のである。
【発明の効果】
【００１５】
請求項１の発明によれば、最終録画位置で一時停止するように設定されているＴＶ番組
を再生するときに、ＴＶ番組を最終録画位置まで再生した後に、ＴＶ番組の最終録画位置
で一時停止する。そのため、従来のようにＴＶ番組の最終録画位置の再生が終わると再生
処理を終了し、自動的にメニュー画面に移行することが無い。従って、ユーザは、一時停
止位置から所望の時間の早戻し操作を行うだけで、ＴＶ番組の録画終了間際を容易に再度
再生することができるので、使い勝手が良い。
【００１６】
また、ＴＶ番組を放送終了時間以降まで余分に録画する必要が無いため、ハードディス
クの録画可能な容量を余分に必要とせず、ハードディスクを効率良く使用することができ
る。
【００１７】
請求項２の発明によれば、繰り返し再生を行うように設定されているＴＶ番組を再生す
るときに、ＴＶ番組を最終録画位置まで再生した後に、ＴＶ番組の最終録画区間を再度再
生する。そのため、ＴＶ番組の録画終了間際の最終録画区間を自動的に再度再生すること
ができるため、ユーザにとって使い勝手が良い。
【００１８】
請求項３の発明によれば、ユーザによって最終録画位置頭出し指示操作手段の指示操作
が行われると、この指示操作の対象とされた、ハードディスクに録画されているＴＶ番組
に対して最終録画位置の頭出しを行う。そのため、ユーザは、録画されたＴＶ番組のタイ
ムサーチ等の操作を行うことなしに最終録画位置の頭出しを行うことができ、最終録画位
置から所望の時間の早戻し操作を行うだけで、ＴＶ番組の録画終了間際を容易に再生する
ことができるので、使い勝手が良い。
【００１９】
また、ユーザが、録画を指示したＴＶ番組について最後まで録画されているか否かの確
認作業を行うときに、録画されたＴＶ番組の最終録画位置の頭出しを容易に行うことがで
きる。従って、ユーザは、ＴＶ番組が最後まで録画されているか否かを容易、かつ、迅速
に確認することができる。
【００２０】
請求項４の発明によれば、ユーザによって最終録画区間再生指示操作手段の指示操作が
行われると、この指示操作の対象とされた、ハードディスクに録画されているＴＶ番組の
最終録画区間を再生する。そのため、ユーザは、録画されたＴＶ番組のタイムサーチ等の
操作を行うことなしに、ＴＶ番組の終了間際の最終録画区間を容易に再生することができ
るので、使い勝手が良い。
【図面の簡単な説明】
【００２１】
【図１】本発明の一実施形態にハードディスクレコーダと、このハードディスクレコーダに接続されたＴＶ受像機とを含む録画再生システムを示す斜視図。
【図２】上記ＴＶ受像機の内部構成を示すブロック図。
【図３】上記ハードディスクレコーダの内部構成を示すブロック図。
【図４】上記ハードディスクレコーダのメモリに記憶されるリピートステータスを示す説明図。
【図５】上記ハードディスクレコーダを操作するためのリモコンを示す上面図。
【図６】上記ハードディスクレコーダの録画タイトルリストを示す説明図。
【図７】上記ハードディスクレコーダにおける再生処理の手順を示すフローチャート。
【図８】上記再生処理におけるエンドポーズ再生処理の手順を示すフローチャート。
【図９】上記再生処理におけるエンドリピート再生処理の手順を示すフローチャート。
【図１０】上記ハードディスクレコーダにおける頭出しボタン操作時の処理の手順を示すフローチャート。
【図１１】上記ハードディスクレコーダにおける頭出しリピートボタン操作時の処理の手順を示すフローチャート。
【発明を実施するための形態】
【００２２】
以下、本発明の一実施形態に係るハードディスクレコーダ（録画再生装置）について、
図１乃至図５を参照して説明する。図１は、ハードディスクレコーダと、テレビジョン（
以下、ＴＶという）受像機２とを含む録画再生システム１の概略構成を示す。図２は、Ｔ
Ｖ受像機２の内部構成を示し、図３は、ハードディスクレコーダ３の内部構成を示す。図
４は、ハードディスクレコーダ３のリピートステータス３４ｄの一例を示し、図５は、ハ
ードディスクレコーダ３に対して各種動作指示を行うためのリモコン５の上面を示す。
【００２３】
録画再生システム１は、ＨＤＭＩケーブル４を介して相互に接続されたＴＶ受像機２と
ハードディスクレコーダ３とを含むものである。ＴＶ受像機２は、ＨＤＭＩケーブル４を
介して、ハードディスクレコーダ３から送信された映像をディスプレイ２２に表示可能で
あり、音声をスピーカ２３から出力可能である。
【００２４】
図２に示すように、ＴＶ受像機２は、放送局から放送されるＴＶ放送信号に基づくＴＶ
番組を受信するチューナ部２１と、チューナ部２１によって受信されたＴＶ番組やハード
ディスクレコーダ３から受信したＴＶ番組の映像を表示するディスプレイ２２と、ＴＶ番
組の音声を出力するスピーカ２３と、各種操作ボタンを有する操作部２４とを備える。ま
た、ＴＶ受像機２は、ＴＶ受像機２の筐体外部に露出するように設けられたＨＤＭＩ端子
部２５と、各種情報が記憶されたメモリ２６と、ＴＶ受像機２の各部を制御するための制
御用マイコン２０とをさらに備える。
【００２５】
ＨＤＭＩ端子部２５には、ハードディスクレコーダ３と接続されたＨＤＭＩケーブル４
の一端が接続される。メモリ２６は、制御用マイコン２０を動作させるためのプログラム
２６ａを記憶している。
【００２６】
制御用マイコン２０は、映像出力部２０ａと、音声出力部２０ｂとを有し、ユーザによ
る操作部２４の操作等に基づいて自装置を動作させる。
【００２７】
映像出力部２０ａは、チューナ部２１によって受信されたＴＶ番組の映像や、ＨＤＭＩ
ケーブル４を介してハードディスクレコーダ３から受信したＴＶ番組の映像をディスプレ
イ２２に表示する。音声出力部２０ｂは、チューナ部２１によって受信されたＴＶ番組の
音声や、ＨＤＭＩケーブル４を介してハードディスクレコーダ３から受信したＴＶ番組の
音声をスピーカ２３に出力する。
【００２８】
図３に示すように、ハードディスクレコーダ３は、放送局から放送されるＴＶ放送信号
に基づくＴＶ番組やＥＰＧ情報を受信するチューナ部３１と、リモコン５から送信される
操作信号を受信するためのリモコン信号受信部３２と、ハードディスクレコーダ３の筐体
外部に露出するように設けられたＨＤＭＩ端子部３３とを備える。また、ハードディスク
レコーダ３は、各種情報を記憶したメモリ３４と、ＴＶ番組を録画可能なハードディスク
（以下、ＨＤＤという）３５と、アクセス部３６と、装置各部の制御を行う制御用マイコ
ン３０とを備える。
【００２９】
ＨＤＭＩ端子部３３には、ＴＶ受像機２と接続されたＨＤＭＩケーブル４の他端が接続
される。メモリ３４は、制御用マイコン３０を動作させるためのプログラム３４ａと、Ｈ
ＤＤ３５に録画されたＴＶ番組のタイトル等の情報を含む録画タイトルリスト３４ｂと、
エンドリピート間隔時間（間隔時間記憶手段）３４ｃと、リピートステータス３４ｄと、
ユーザによって予約録画設定されたＴＶ番組の情報を含む予約録画タイトル３４ｅとを記
憶している。また、メモリ３４は、ＴＶ番組をレジューム再生したときの、前回の再生位
置等も記憶している。
【００３０】
エンドリピート間隔時間３４ｃは、後述するエンドリピート再生を行うための間隔時間
を記憶するものであり、工場出荷時には予め決められたデフォルト値（例えば１分）を記
憶している。エンドリピート間隔時間３４ｃは、ユーザによって任意の時間に設定可能で
ある。
【００３１】
リピートステータス３４ｄは、ＨＤＤ３５に録画されている各タイトル毎のリピート再
生方法を示すリピートステータスフラグを記憶している。具体的には例えば、図４に示す
ように、リピートステータス３４ｄは、複数のＢｉｔを有し、各Ｂｉｔのフラグのオン／
オフによって、それに対応するリピート再生のオン／オフが設定される。ここでは、Ｂｉ
ｔ０が「チャプターリピート再生」に対応し、Ｂｉｔ１が「オールリピート再生」に対応
し、Ｂｉｔ２が「Ａ−Ｂリピート再生」に対応する。また、Ｂｉｔ３が「エンドポーズ再
生」に対応し、Ｂｉｔ４が「エンドリピート再生」に対応する。
【００３２】
本実施形態において、「エンドポーズ再生」とは、ＨＤＤ３５に録画されたＴＶ番組を
再生する際に、最終録画位置（最後のフレーム画像の再生位置；以下、エンド位置という
）で一時停止する再生である。「エンドリピート再生」とは、ＨＤＤ３５に録画されたＴ
Ｖ番組を再生する際に、エンド位置（請求項における最終録画位置）と、このエンド位置
からエンドリピート間隔時間３４ｃ分だけ前の録画位置との間の最終録画区間において、
繰り返し再生するものである。
【００３３】
ＨＤＤ３５は、チューナ部３１によって受信されたＴＶ番組を録画する。アクセス部３
６は、ＨＤＤ３５に対するＴＶ番組の書き込みや読み出しを行う。
【００３４】
制御用マイコン３０は、再生制御部（再生制御手段）３０ａと、録画制御部３０ｂと、
録画タイトルリスト表示部３０ｃと、リピートステータス設定部（一時停止設定手段、繰
り返し再生設定手段）３０ｄとを有し、ユーザによるリモコン５の操作に基づいて自装置
を動作させる。
【００３５】
再生制御部３０ａは、アクセス部３６を用いてＨＤＤ３５から読み出されたＴＶ番組の
再生を行い、再生されたＴＶ番組の映像信号及び音声信号をＨＤＭＩケーブル４を介して
、ＴＶ受像機２に出力する処理を行う。また、再生制御部３０ａは、リピートステータス
３４ｄの内容に基づき、エンドポーズ再生やエンドリピート再生等を行うことができる。
また、再生制御部３０ａは、アクセス部３６を制御することにより、ＨＤＤ３５から読み
出されたＴＶ番組の任意の録画位置の頭出しを行うことや、今回の再生位置をメモリ３４
に記録することにより、次回の再生時にレジューム再生を行うこともできる。
【００３６】
録画制御部３０ｂは、予約録画タイトル３４ｅの内容や、ユーザによる録画指示に基づ
き、チューナ部３１によって受信したＴＶ番組を、アクセス部３６を用いてＨＤＤ３５に
録画する処理を行う。
【００３７】
録画タイトルリスト表示部３０ｃは、ＨＤＤ３５に録画されているＴＶ番組の一覧を示
す録画タイトルリスト３４ｂをＴＶ受像機２に出力する処理を行う。
【００３８】
リピートステータス設定部３０ｄは、ユーザによるリモコン５の操作に基づき、ＨＤＤ
３５に録画されたＴＶ番組毎のリピートステータス３４ｄを設定する。すなわち、リピー
トステータス設定部３０ｄは、ＴＶ番組を再生する際のユーザによる操作に基づいてリピ
ートステータス３４ｄの設定を行うことにより、「エンドポーズ再生」のオン／オフ設定
や「エンドリピート再生」のオン／オフ設定等を行う。また、リピートステータス設定部
３０ｄは、例えばデフォルト設定として、「エンドポーズ再生」を常にオン設定にするも
のでもよい。また、ユーザが予約録画タイトル３４ｅの設定時に、「エンドポーズ再生」
等のオン／オフ設定をしておき、リピートステータス設定部３０ｄが、予約録画タイトル
３４ｅの情報に基づいてリピートステータス３４ｄの設定を行ってもよい。
【００３９】
リモコン５は、図５に示すように、「０」乃至「９」の１０個の数字に対応する「０」
〜「９」までの数字ボタン５１ａ〜５１ｊと、入力した文字や数字を消去するクリアボタ
ン５２と、上下左右の各方向に操作可能な十字ボタン５３（５３ａ〜５３ｄの総称）とを
有する。また、リモコン５は、各種入力を確定するための決定ボタン５４と、再生ボタン
５５と、録画ボタン５６と、停止ボタン５７と、頭出しボタン（最終録画位置頭出し指示
操作手段）５８と、頭出しリピートボタン（最終録画区間再生指示操作手段）５９と、電
源ボタン６０と、メニューボタン６１と、ハードディスクレコーダ３に対してユーザによ
る操作に応じた操作信号を送信するための信号送信部５０とをさらに有する。
【００４０】
再生ボタン５５は、ハードディスクレコーダ３に対して録画されたＴＶ番組の再生を指
示するためのものである。録画ボタン５６は、ハードディスクレコーダ３に対してＨＤＤ
３５にＴＶ番組の録画を行うように指示するためのものである。停止ボタン５７は、ＴＶ
番組の再生の停止を指示するためのものである。
【００４１】
頭出しボタン５８は、ＨＤＤ３５に録画されているＴＶ番組について、ＴＶ番組のエン
ド位置の頭出しを指示するためのものである。頭出しリピートボタン５９は、ＨＤＤ３５
に録画されたＴＶ番組について、エンド位置と、このエンド位置からエンドリピート間隔
時間３４ｃ分だけ前の録画位置との間の最終録画区間を再生するように指示するためのも
のである。
【００４２】
電源ボタン６０は、ハードディスクレコーダ３に対して電源のオン／オフを指示するた
めのものである。メニューボタン６１は、各種動作の選択画面であるメニュー画面を表示
させるためのものである。ユーザはメニュー画面上の各種動作を選択することにより、ハ
ードディスクレコーダ３に対して、例えば、録画タイトルリスト３４ｂの表示や、エンド
リピート間隔時間３４ｃの設定や、リピートステータス３４ｄの設定等を指示することが
できる。
【００４３】
次に、録画タイトルリスト表示部３０ｃによって表示される録画タイトルリスト３４ｂ
について、図６を参照して説明する。録画タイトルリスト３４ｂは、ＨＤＤ３５に録画さ
れたＴＶ番組のタイトル名と、録画時間と、録画モードと、エンドポーズ再生のオン／オ
フ設定と、エンドリピート再生のオン／オフ設定とを含むものである。録画タイトルリス
ト３４ｂのエンドポーズ再生のオン／オフ設定の内容と、エンドリピート再生のオン／オ
フ設定の内容は、リピートステータス３４ｄに基づくものである。
【００４４】
録画タイトルリスト表示部３０ｃは、ＴＶ受像機２のディスプレイ２２上に、録画タイ
トルリスト３４ｂと共に、ユーザによるリモコン５の操作に応じて操作されるカーソル（
図示せず）とを表示する。すなわち、ユーザは、リモコン５を用いてカーソルを操作する
ことにより、録画タイトルリスト３４ｂのタイトル名にカーソルを位置付け、その状態で
再生ボタン５５を操作することにより再生指示を行うことができる。また、ユーザは、同
様にリモコン５を操作することにより、録画タイトルリスト３４ｂの所望のタイトル名に
ついて、エンドポーズ再生のオン／オフ設定や、エンドリピート再生のオン／オフ設定の
指示操作を行うことができる。これらのオン／オフ設定により、上記所望のタイトルのＴ
Ｖ番組についてのリピートステータス３４ｄの内容が更新される。
【００４５】
次に、ハードディスクレコーダ３におけるＴＶ番組の再生処理について、図７に示すフ
ローチャートを参照して説明する。ここでは、ユーザによって、ＨＤＤ３５に録画された
ＴＶ番組について再生指示がされたものとする。
【００４６】
まず、制御用マイコン３０の再生制御部３０ａは、再生を行うＴＶ番組についてのリピ
ートステータス３４ｄの内容を判断し（Ｓ１）、エンドポーズ再生がオンの場合（Ｓ２で
ＹＥＳ）、エンドポーズ再生処理（Ｓ３）を行う。一方、エンドポーズ再生がオフの場合
（Ｓ２でＮＯ）、エンドリピート再生がオンか否かを判断して、エンドリピート再生がオ
ンのときに（Ｓ４でＹＥＳ）、エンドリピート再生処理（Ｓ８）を行う。
【００４７】
一方、エンドリピート再生がオフの場合（Ｓ４でＮＯ）、再生を行うＴＶ番組がレジュ
ーム再生の対象として設定されているとき（Ｓ５でＹＥＳ）、再生制御部３０ａは、メモ
リ３４に記憶された前回の再生位置を読み出してレジューム再生を行う（Ｓ６）。一方、
レジューム再生の対象として設定されていないときは（Ｓ５でＮＯ）、ＴＶ番組を最初か
ら再生（通常再生）する（Ｓ７）。
【００４８】
次に、上記Ｓ３エンドポーズ再生処理の詳細について、図８に示すフローチャートを参
照して説明する。制御用マイコン３０の再生制御部３０ａは、ＴＶ番組を最初から再生し
（Ｓ１１）、ＴＶ番組のエンド位置まで再生したとき（Ｓ１２でＹＥＳ）、ＴＶ番組のエ
ンド位置で再生を一時停止（ポーズ）する。
【００４９】
次に、上記Ｓ８エンドリピート再生処理の詳細について、図９に示すフローチャートを
参照して説明する。制御用マイコン３０の再生制御部３０ａは、ＴＶ番組を最初からエン
ド位置まで再生した後に（Ｓ２１）、エンドリピート間隔時間３４ｃを取得し（Ｓ２２）
、エンドリピート間隔時間３４ｃがユーザによって設定された時間である場合（Ｓ２３で
ＹＥＳ）、ユーザによって設定されたエンドリピート間隔時間３４ｃに基づいて遷移位置
を算出する（Ｓ２４）。具体的には例えば、エンドリピート間隔時間３４ｃがユーザによ
って５分に設定されている場合、ＴＶ番組のエンド位置から５分だけ前の録画位置を遷移
位置として算出する（Ｓ２４に相当）。
【００５０】
一方、ユーザによって設定された時間でない場合（Ｓ２３でＮＯ）、すなわち、エンド
リピート間隔時間３４ｃが出荷設定値の時間である場合、出荷設定値のエンドリピート間
隔時間３４ｃに基づいて遷移位置を算出する（Ｓ２５）。具体的には例えば、エンドリピ
ート間隔時間３４ｃの出荷設定値が１分の場合、ＴＶ番組のエンド位置から１分だけ前の
録画位置を遷移位置として算出する（Ｓ２５に相当）。
【００５１】
そして、再生制御部３０ａは、上記Ｓ２４、Ｓ２５で算出した位置に再生位置を遷移さ
せ（Ｓ２６）、エンドリピート再生区間（上記の遷移位置とＴＶ番組のエンド位置との間
の区間）を再生する（Ｓ２７）。
【００５２】
次に、ＴＶ番組の頭出し処理について、図１０に示すフローチャートを参照して説明す
る。ユーザがリモコン５の頭出しボタン５８を操作することにより、録画タイトルリスト
３４ｂのタイトルについて頭出しを指示すると（Ｓ３１）、再生制御部３０ａは、頭出し
を指示されたＴＶ番組に対してエンド位置の頭出しを行う（Ｓ３２）。すなわち、ＨＤＤ
３５に録画されているＴＶ番組のエンド位置に再生位置を遷移させる（Ｓ３２に相当）。
【００５３】
次に、ＴＶ番組の頭出しリピート処理について、図１１に示すフローチャートを参照し
て説明する。なお、本処理のＳ４２〜Ｓ４７は、前出の図９に示すＳ２２〜Ｓ２７に相当
する。
【００５４】
ユーザがリモコン５の頭出しリピートボタン５９を操作することにより、録画タイトル
リスト３４ｂのタイトルについて頭出しリピートを指示すると（Ｓ４１）、再生制御部３
０ａは、エンドリピート間隔時間３４ｃを取得し（Ｓ４２）、Ｓ４３〜Ｓ４６の各処理を
行った後に、上記と同様なエンドリピート再生区間を再生する（Ｓ４７）。すなわち、ユ
ーザによって頭出しリピートボタン５９が操作されると、ＴＶ番組を最初から再生しない
で、エンドリピート再生区間のみの再生を行う。
【００５５】
上述したように、本実施形態に係るハードディスクレコーダ３においては、エンドポー
ズ再生がオンに設定されているＴＶ番組を再生するときに、ＴＶ番組をエンド位置まで再
生した後に、ＴＶ番組のエンド位置で再生を一時停止（ポーズ）する。そのため、従来の
ようにＴＶ番組のエンド位置の再生が終わると再生処理を終了し、自動的にメニュー画面
に移行することが無い。従って、ユーザは、一時停止位置から所望の時間の早戻し操作を
行うだけで、ＴＶ番組の録画終了間際を容易に再度再生することができるので、使い勝手
が良い。
【００５６】
また、ハードディスクレコーダ３は、ＴＶ番組を放送終了時間以降まで余分に録画する
必要が無いため、ＨＤＤ３５の録画可能な容量を余分に必要とせず、ＨＤＤ３５を効率良
く使用することができる。
【００５７】
また、ハードディスクレコーダ３は、エンドリピート再生がオンに設定されているＴＶ
番組を再生するときに、ＴＶ番組をエンド位置まで再生した後に、ＴＶ番組のエンドリピ
ート再生区間を再度再生する。そのため、ＴＶ番組の録画終了間際のエンドリピート再生
区間を自動的に再度再生することができるため、ユーザにとって使い勝手が良い。
【００５８】
また、ユーザによって、録画タイトルリスト３４ｂのタイトルに対して頭出しボタン５
８が操作されると、（この指示操作の対象とされた、）ＨＤＤ３５に録画されているＴＶ
番組に対してエンド位置の頭出しを行う。そのため、ユーザは、録画されたＴＶ番組のタ
イムサーチ等の操作を行うことなしにＴＶ番組のエンド位置の頭出しを行うことができ、
エンド位置から所望の時間の早戻し操作を行うだけで、ＴＶ番組の録画終了間際のエンド
リピート再生区間を容易に再生することができるので、使い勝手が良い。
【００５９】
また、ユーザが録画を指示したＴＶ番組について最後まで録画されているか否かの確認
作業を行うときに、録画されたＴＶ番組のエンド位置の頭出しを容易に行うことができる
。従って、ユーザは、ＴＶ番組が最後まで録画されているか否かを容易、かつ、迅速に確
認することができる。
【００６０】
また、ユーザによって頭出しリピートボタン５９が操作されると、（この指示操作の対
象とされた、）ＨＤＤ３５に録画されているＴＶ番組のエンドリピート再生区間を再生す
る。そのため、ユーザは、録画されたＴＶ番組のタイムサーチ等の操作を行うことなしに
、ＴＶ番組の終了間際のエンドリピート再生区間を容易に再生することができるので、使
い勝手が良い。
【００６１】
なお、本発明は、上記実施形態の構成に限られず、発明の趣旨を変更しない範囲で種々
の変形が可能である。例えば、上記実施形態において、請求項における録画再生装置がハ
ードディスクレコーダである場合の例を示したが、録画再生装置はこれに限られず、例え
ばＤＶＤレコーダ等のＴＶ番組を録画再生可能な装置であればよい。また、上記実施形態
において、ＨＤＤに録画されているＴＶ番組毎にリピートステータスを有する例を示した
が、リピートステータスは、ハードディスクレコーダを利用するユーザ毎に有していても
よい。
【符号の説明】
【００６２】
２  ハードディスクレコーダ（録画再生装置）
３５  ＨＤＤ（ハードディスク）
３４ｃ  エンドリピート間隔時間（間隔時間記憶手段）
３０ａ  再生制御部（再生制御手段）
３０ｄ  リピートステータス設定部（一時停止設定手段、繰り返し再生設定手段）
５８  頭出しボタン（最終録画位置頭出し指示操作手段）
５９  頭出しリピートボタン（最終録画区間再生指示操作手段）
【図１】
2012004751.tif 000003
【図２】
2012004751.tif 000004
【図３】
2012004751.tif 000005
【図４】
2012004751.tif 000006
【図５】
2012004751.tif 000007
【図６】
2012004751.tif 000008
【図７】
2012004751.tif 000009
【図８】
2012004751.tif 000010
【図９】
2012004751.tif 000011
【図１０】
2012004751.tif 000012
【図１１】
2012004751.tif 000013